(57)【要約】【課題】本発明は、極めて商品価値の高い画期的な純水製造装置を提供することを目的とする。【解決手段】原水から純水を作出する純水作出部１と、この純水作出部１で作出された純水を加圧して導出する純水加圧導出部２を有する純水製造装置であって、純水加圧導出部２は、純水作出部１で作出された純水を収納する純水収納部３を具備し、この純水収納部３には外圧を加えることで凹み変形する凹み変形部３ａが設けられ、この凹み変形部３ａに外圧を加えることで収納容積が減少しその減少量に相当する純水が純水収納部３から純水導出口部４を介して加圧されて導出されるように構成されたものである。【選択図】図１
2011050826.tif 000002
【特許請求の範囲】
【請求項１】
原水から純水を作出する純水作出部と、この純水作出部で作出された純水を加圧して導出する純水加圧導出部を有する純水製造装置であって、前記純水加圧導出部は、前記純水作出部で作出された純水を収納する純水収納部を具備し、この純水収納部には外圧を加えることで凹み変形する凹み変形部が設けられ、この凹み変形部に外圧を加えることで収納容積が減少しその減少量に相当する前記純水が前記純水収納部から純水導出口部を介して加圧されて導出されるように構成されていることを特徴とする純水製造装置。
【請求項２】
請求項１記載の純水製造装置において、前記凹み変形部は、前記純水収納部の少なくとも一部を可撓性を有する部材で設けて構成されていることを特徴とする純水製造装置。
【請求項３】
請求項１，２いずれか１項に記載の純水製造装置において、前記純水作出部と前記純水加圧導出部との間に設けられる純水流通ラインには、前記純水収納部よりも上流に配され前記純水作出部で作出された純水を収納する上流純水収納部が設けられ、この上流純水収納部から前記純水収納部への純水の搬送は、搬送に際して前記純水が空気に触れることのないポンプにより行われることを特徴とする純水製造装置。
【請求項４】
請求項３記載の純水製造装置において、前記上流純水収納部には、前記ポンプの作動により内部が負圧となることで凹み変形する凹み変形部が設けられており、この凹み変形部が凹み変形したことを検知して前記純水作出部に原水を供給する原水供給部が作動するように構成されていることを特徴とする純水製造装置。
【請求項５】
請求項１〜４いずれか１項に記載の純水製造装置において、前記純水作出部は逆浸透膜を用いて純水を作出する構成であることを特徴とする純水製造装置。
【発明の詳細な説明】
【技術分野】
【０００１】
本発明は、純水製造装置に関するものである。
【背景技術】
【０００２】
従来から、例えば特開２００９−１６０５００号に開示される純水製造装置（以下、従来例）が提案されている。
【０００３】
この従来例は、逆浸透膜を利用して原水から純水を作出するものであり、逆浸透膜の性質（溶媒は通すが溶質は透過させない性質）を利用し、原水の浸透圧より高い圧力をかけて溶媒としての水だけを選択的に透過させることで純水を作出するように構成したものである。
【先行技術文献】
【特許文献】
【０００４】
【特許文献１】特開２００９−１６０５００号公報
【発明の概要】
【発明が解決しようとする課題】
【０００５】
ところで、この従来例を使用する場面、例えば歯科医で加圧した純水が欲しい場面においては、従来例にエアーポンプを接続し、この純水を圧縮空気と混合して噴射しているが、この純水には空気が多量に混合されるため該純水内に空気中のカーボンが混ざり、品質が低下してしまうという問題点がある。
【０００６】
本発明は、前述した問題点を解消する、極めて商品価値の高い画期的な純水製造装置を提供するものである。
【課題を解決するための手段】
【０００７】
添付図面を参照して本発明の要旨を説明する。
【０００８】
原水から純水を作出する純水作出部１と、この純水作出部１で作出された純水を加圧して導出する純水加圧導出部２を有する純水製造装置であって、前記純水加圧導出部２は、前記純水作出部１で作出された純水を収納する純水収納部３を具備し、この純水収納部３には外圧を加えることで凹み変形する凹み変形部３ａが設けられ、この凹み変形部３ａに外圧を加えることで収納容積が減少しその減少量に相当する前記純水が前記純水収納部３から純水導出口部４を介して加圧されて導出されるように構成されていることを特徴とする純水製造装置に係るものである。
【０００９】
また、請求項１記載の純水製造装置において、前記凹み変形部３ａは、前記純水収納部３の少なくとも一部を可撓性を有する部材で設けて構成されていることを特徴とする純水製造装置に係るものである。
【００１０】
また、請求項１，２いずれか１項に記載の純水製造装置において、前記純水作出部１と前記純水加圧導出部２との間に設けられる純水流通ライン５には、前記純水収納部３よりも上流に配され前記純水作出部１で作出された純水を収納する上流純水収納部６が設けられ、この上流純水収納部６から前記純水収納部３への純水の搬送は、搬送に際して前記純水が空気に触れることのないポンプ７により行われることを特徴とする純水製造装置に係るものである。
【００１１】
また、請求項３記載の純水製造装置において、前記上流純水収納部６には、前記ポンプ７の作動により内部が負圧となることで凹み変形する凹み変形部６ａが設けられており、この凹み変形部６ａが凹み変形したことを検知して前記純水作出部１に原水を供給する原水供給部８が作動するように構成されていることを特徴とする純水製造装置に係るものである。
【００１２】
また、請求項１〜４いずれか１項に記載の純水製造装置において、前記純水作出部１は逆浸透膜を用いて純水を作出する構成であることを特徴とする純水製造装置に係るものである。
【発明の効果】
【００１３】
本発明は上述のように構成したから、純水作出部で作出した純水に空気を可及的に触れさせずに加圧して導出することができ、よって、高品質の加圧された純水が得られることになるなど極めて商品価値の高い画期的な純水製造装置となる。
【図面の簡単な説明】
【００１４】
【図１】本実施例の概略説明図である。
【図２】本実施例に係る要部の動作説明図である。
【図３】本実施例に係る要部の説明図である。
【図４】本実施例に係る要部の動作説明図である。
【発明を実施するための形態】
【００１５】
好適と考える本発明の実施形態を、図面に基づいて本発明の作用を示して簡単に説明する。
【００１６】
純水作出部１にて原水から純水が作出され、この純水作出部１で作出された純水は、純水収納部３に収納され、この純水収納部３に設けられた凹み変形部３ａに外圧を加えることで収納容積が減少しその減少量に相当する純水が純水収納部３から純水導出口部４を介して加圧されて導出される。
【００１７】
従って、純水作出部１で作出した純水に空気を可及的に触れさせずに加圧して導出することができ、よって、カーボンなどが混入してない高品質の加圧された純水が得られることになる。
【実施例】
【００１８】
本発明の具体的な一実施例について図面に基づいて説明する。
【００１９】
本実施例は、原水から純水を作出する純水作出部１と、この純水作出部１で作出された純水を加圧して導出する純水加圧導出部２を有するものである。
【００２０】
具体的には、本実施例は、図１に図示したように水道管11から供給される原水が純水として導出されるまでの水流通ライン10において、主に上流側から、原水供給部８，純水作出部１，上流純水収納部６及び純水加圧導出部２が設けられている。
【００２１】
符号30は電磁弁、31はストレーナ、32はフィルター、33は圧力調整弁、34は逆止弁、35は紫外線殺菌部、36は手動弁、37は圧力計である。
【００２２】
原水供給部８は、図１に図示したようにプランジャーポンプで構成されており、後述する上流純水収納部６に設けられたスイッチ部９のＯＮ・ＯＦＦにより作動・停止が行われる。
【００２３】
純水作出部１は、図１に図示したように逆浸透膜を利用して原水から純水を作出し得る公知構造のものである。
【００２４】
上流純水収納部６は、図１，２に図示したように純水作出部１で作出された所定量の純水を貯留し得るタンクであり、図示省略の水導入部及び水導出部が前述した純水作出部１と後述する純水加圧導出部２との間に設けられる純水流通ライン５に接続されている。
【００２５】
具体的には、図１，２に図示したように容体６ｂと、この容体６ｂの上部に設けられる蓋体６ａとで構成されている。
【００２６】
容体６ｂは、適宜な金属製の部材で形成したものであり、この容体６ｂの下方部位には純水度検査装置12が設けられている。
【００２７】
蓋体６ａは、適宜な可撓性を有する合成樹脂製の部材（ゴム）で形成したものであり、容体６ｂの上方開口部に設けられている。
【００２８】
また、この蓋体６ａは、上流純水収納部６内部に純水が収納されていない状態においては下方に凹んだ状態となり、上流純水収納部６内に純水が収納されることで上方へ膨出状態となり、この状態で後述するポンプ７の作動により内部が負圧となることで凹み変形する凹み変形部６ａとして構成されている。
【００２９】
また、この凹み変形部６ａの近傍位置には、原水供給部８を作動せしめる前記スイッチ９が設けられている。
【００３０】
このスイッチ部９は、図１，２に図示したように凹み変形部６ａの上部に設けられる作用部９ａと、この作用部９ａの移動によりＯＮ・ＯＦＦし前述した原水供給部８に電気的に接続されるスイッチ９ｂとで構成されている。
【００３１】
具体的には、図１に図示したように上流純水収納部６内部に純水が収納されて凹み変形部６ａが膨出状態の際には、作用部９ａは上方に位置してスイッチ９ｂをＯＦＦの状態とすることで原水供給部８はＯＦＦの状態（純水作出部１に原水を供給しない状態）となり、図２に図示したようにポンプ７の作動により上流純水収納部６内の純水が導出されて内部が負圧となり凹み変形部６ａが凹み変形した際には、作用部９ａは下方に位置してスイッチ９ｂをＯＮの状態とすることで原水供給部８はＯＮの状態（純水作出部１に原水を供給する状態）となる。
【００３２】
ポンプ７は、図１に図示したように搬送に際して純水が空気に触れることのない構造であり、具体的には、例えばピストンポンプや歯車ポンプが採用され、純水流通ライン５における上流純水収納部６よりも下流側位置に設けられている。
【００３３】
従って、上流純水収納部６から純水収納部３へ純水が搬送される際に純水が空気に触れることがない。
【００３４】
純水加圧導出部２は、図１に図示したように純水作出部１で作出された純水を収納する純水収納部３を具備する。
【００３５】
この純水収納部３は、前述した上流純水収納部６と略同様の構造であり、図１，３，４に図示したように上流純水収納部６から供給される純水を貯留し得るタンクであり、水導入部３ｃが純水流通ライン５に接続されている。
【００３６】
具体的には、図１，２に図示したように容体３ｂと、この容体３ｂの上部に設けられる蓋体３ａとで構成されている。
【００３７】
容体３ｂは、適宜な金属製の部材で形成したものであり、この容体３ｂの下方部位にして水導入部３ｃの反対側部位には純水導出口部４が設けられている。
【００３８】
蓋体３ａは、適宜な可撓性を有する合成樹脂製の部材（ゴム）で形成したものであり、容体３ｂの上方開口部に設けられている。
【００３９】
また、この蓋体３ａは、純水収納部３内部に純水が収納されていない状態においては下方に凹んだ状態となり、純水収納部３内に純水が収納されることで上方へ膨出状態となり、その後、図示省略の押圧手段により外圧を受けることで凹み変形する凹み変形部３ａとして構成されている。
【００４０】
従って、この凹み変形部３ａに外圧を加えることで収納容積が減少した純水収納部３の純水導出口部４から純水が導出される。
【００４１】
以上の構成から成る純水製造装置における純水の作出から装置外に導出されるまでを説明する。
【００４２】
水道管11から原水供給部８を介して原水が純水作出部１に供給され、純水作出部１にて原水から純水が作出され、この純水作出部１で作出された純水は紫外線殺菌部35を通過して殺菌され、この紫外線殺菌部35を通過した純水は上流純水収納部６に収納される。この際、上流純水収納部６内へは純水が順次導入されて凹み変形した凹み変形部６ａが膨出状態となると、スイッチ部９をＯＦＦにして原水供給部８がＯＦＦとなる。
【００４３】
また、ポンプ７の作動により上流純水収納部６に収納された純水は純水加圧導出部２に係る純水収納部３に収納される。この際、純水収納部３内へは純水が導入され凹み変形した凹み変形部３ａは膨出状態となる。
【００４４】
この状態で、凹み変形部３ａに外圧を加えることで収納容積が減少した純水収納部３の純水導出口部４から純水が導出される。
【００４５】
本実施例は上述のように構成したから、純水作出部１で作出した純水に空気を可及的に触れさせずに加圧して導出することができ、よって、カーボンなどが混入してない高品質の加圧された純水が得られることになる。
【００４６】
尚、本発明は、本実施例に限られるものではなく、各構成要件の具体的構成は適宜設計し得るものである。
【産業上の利用可能性】
【００４７】
本発明は、例えば医療現場や半導体製造現場などで使用される純水を製造する純水製造装置に有用である。
【符号の説明】
【００４８】
１  純水作出部
２  純水加圧導出部
３  純水収納部
３ａ  凹み変形部
４  純水導出口部
５  純水流通ライン
６  上流純水収納部
６ａ  凹み変形部
７  ポンプ
８  原水供給部
【図１】
2011050826.tif 000003
【図２】
2011050826.tif 000004
【図３】
2011050826.tif 000005
【図４】
2011050826.tif 000006